(57)【特許請求の範囲】
【請求項１】
基台に対してテーブルを上下方向に昇降自在に取付け、下横片の一端部から固定片を上方に向けて突設すると共に下横片の他端部から係止部を有する突片を上方に向けて突設して略Ｕ字状をしたスロープ台取付け部材を構成し、スロープ台取付け部材の固定片を基台の側面に固着具により固着して基台にスロープ台取付け部材を取付けてスロープ台取付け部材を基台から外側方に突出させ、スロープ台の上面部を一端側から他端側にかけて次第に高くなるような傾斜面とし、スロープ台の上端側の側端面部に被係止部を設け、スロープ台の被係止部をスロープ台取付け部材の係止部に着脱自在に係止し、テーブルの下降状態で突片と固定片との間に形成される上方開口の凹部にテーブルの外周端部の下向き突出部がはまり込むように設定してテーブルの下降状態でテーブルの端部の外側位置にスロープ台の上端側の側端部を位置させると共にテーブルの上面とスロープ台の上端とを略同じ高さとして成ることを特徴とする段差解消機。
【請求項２】
基台とテーブルとの間の隙間を覆い隠すための蛇腹状の伸縮自在な外周覆い部の上端部をテーブルの外周部に取付けると共に下端部を基台又は基台を設置する設置面に取付け、テーブルの下降状態で突片と固定片との間に形成される上方開口の凹部に縮んだ状態の外周覆い部が位置することを特徴とする請求項１記載の段差解消機。
【請求項３】
スロープ台の上端側の側端面部に第１被係止部と第２被係止部と第３被係止部とを設け、平面視長方形状のテーブルの短辺側に対応する基台の側面に取付けたスロープ台取付け部材に設けた係止部にスロープ台の第１の被係止部を係止した状態で平面視においてテーブルの長辺とスロープ台の傾斜に沿った両側縁とが略連続し、平面視長方形状のテーブルの長辺側に対応する基台の側面に取付けたスロープ台取付け部材に設けた係止部にスロープ台の第２の被係止部を係止した状態で平面視においてテーブルの一方の短辺とスロープ台の傾斜に沿った一方の側縁とが略連続し、平面視長方形状のテーブルの長辺側に対応する基台の側面に取付けたスロープ台取付け部材に設けた係止部にスロープ台の第３の被係止部を係止した状態で平面視においてテーブルの他方の短辺とスロープ台の傾斜に沿った他方の側縁とが略連続するように設定して成ることを特徴とする請求項１又は請求項２記載の段差解消機。
【発明の詳細な説明】
【０００１】
【発明の属する技術分野】
本発明は、テーブルの上昇、下降により、例えば人が乗った車椅子などの重量物を上下方向に移動させて段差を解消するための段差解消機に関するものである。
【０００２】
【従来の技術】
従来から基台に対してテーブルを上下方向に昇降自在に取付けた段差解消機が知られている。この段差解消機は、テーブルに人が乗った車椅子などの重量物を載せ、テーブルを昇降することで、目的とする高さにテーブルを移動させて車椅子などを運ぶようになっている。そして、従来から段差解消機を設置している設置面から下降した状態のテーブルに乗り込んだり、あるいは下降したテーブルから設置面に降りる際に車椅子であっても容易に乗り降りができるように、設置面にスロープ台を設けるようにしている。
【０００３】
スロープ台は設置面に据え置く場合と、設置面にアンカーを打ち込んでスロープ台を設置面にアンカーにより固定する場合とがある。
【０００４】
しかしながらスロープ台を設置面に固定しないで据え置くものにおいては、スロープ台がずれたり、あるいは段差解消機がずれたりするとテーブルが下降した際にテーブルがスロープ台にかみ込むという事態が生じ、段差解消機やスロープ台が破損するという問題があり、この時テーブル上に人が乗っている場合にかみ込んだ時の衝撃やかみ込んだ時にテーブルが傾くことによって転落するおそれがある。
【０００５】
また、設置面にアンカーによりスロープ台を固定するものにおいては、アンカー打ち込み作業が非常に煩雑な作業となるという問題がある。また、スロープ台を設置面にアンカーにより固定しても、段差解消機を設置面に据え置いただけの場合には段差解消機がずれると、やはりテーブルが下降した際にテーブルがスロープ台にかみ込むという事態が生じ、段差解消機やスロープ台が破損するという問題があり、この時テーブル上に人が乗っている場合にかみ込んだ時の衝撃やかみ込んだ時にテーブルが傾くことによって転落するおそれがある。
【０００６】
【発明が解決しようとする課題】
本発明は上記の点に鑑みてなされたものであり、簡単な構成で段差解消機とスロープ台との位置ずれが生じないように段差解消機にスロープ台を取付けることができ、テーブルが下降した際にテーブルがスロープ台にかみ込むという事態が発生せず、また、段差解消機とスロープ台とをスロープ台取付け部材を介して連結したにもかかわらず簡単な構成でスロープ台取付け部材がテーブルの下降の支障にならないようにでき、更に、平面視長方形状をしたテーブルの短片側、長辺の一側端部に片寄った側、長辺の他側端部に片寄った側のいずれにも共通のスロープ台を簡単に連結することができる段差解消機を提供するにある。
【０００７】
【課題を解決するための手段】
上記課題を解決するために本発明に係る段差解消機は、基台１に対してテーブル２を上下方向に昇降自在に取付け、下横片９の一端部から固定片１０を上方に向けて突設すると共に下横片９の他端部から係止部４を有する突片１１を上方に向けて突設して略Ｕ字状をしたスロープ台取付け部材３を構成し、スロープ台取付け部材３の固定片１０を基台１の側面に固着具１２により固着し、基台１にスロープ台取付け部材３を取付けてスロープ台取付け部材３を基台１から外側方に突出させ、スロープ台５の上面部を一端側から他端側にかけて次第に高くなるような傾斜面６とし、スロープ台５の上端側の側端面部８に被係止部７を設け、スロープ台５の被係止部７をスロープ台取付け部材３の係止部４に着脱自在に係止し、テーブル２の下降状態で突片１１と固定片１０との間に形成される上方開口の凹部１３にテーブル２の外周端部の下向き突出部１４がはまり込むように設定してテーブル２の下降状態でテーブル２の端部の外側位置にスロープ台５の上端側の側端部を位置させると共にテーブル２の上面とスロープ台５の上端とを略同じ高さとして成ることを特徴とするものである。このような構成とすることで、係止部４に対して被係止部７を係止するのみで基台１に対してスロープ台５を両者が所定の位置関係となるように連結することができるものであり、基台１に対してスロープ台５が移動して位置ずれすることがなく、また、スロープ台取付け部材３を略Ｕ字状に形成することで、基台１に対してスロープ台５をスロープ台取付け部材３を介して一定の位置関係に連結するようにしたにもかかわらず、スロープ台取付け部材３に邪魔されることなくテーブル２の外周端部の下向き突出部１４が下降できるものである。
【０００９】
また、下横片９の一端部から固定片１０を上方に向けて突設すると共に下横片９の他端部から係止部４を有する突片１１を上方に向けて突設して略Ｕ字状をしたスロープ台取付け部材３を構成し、スロープ台取付け部材３の固定片１０を基台１の側面に固着具１２により固着し、係止部４にスロープ台５の被係止部７を着脱自在に係止し、基台１とテーブル２との間の隙間を覆い隠すための蛇腹状の伸縮自在な外周覆い部２９の上端部をテーブル２の外周部に取付けると共に下端部を基台１又は基台１を設置する設置面３０に取付け、テーブル２の下降状態で突片１１と固定片１０との間に形成される上方開口の凹部１３に縮んだ状態の外周覆い部２９が位置するものであることが好ましい。このようにスロープ台取付け部材３を略Ｕ字状に形成することで、基台１に対してスロープ台５をスロープ台取付け部材３を介して一定の位置関係に連結するようにしたにもかかわらず、スロープ台取付け部材３に邪魔されることなくテーブル２を下降させて外周覆い部２９を縮めて凹部１３内に位置させることができるものである。
【００１０】
また、スロープ台５の上端側の側端面部に第１被係止部７ａと第２被係止部７ｂと第３被係止部７ｃとを設け、平面視長方形状のテーブル２の短辺側に対応する基台１の側面に取付けたスロープ台取付け部材３に設けた係止部４にスロープ台５の第１の被係止部７ａを係止した状態で平面視においてテーブル２の長辺とスロープ台５の傾斜に沿った両側縁とが略連続し、平面視長方形状のテーブル２の長辺側に対応する基台１の側面に取付けたスロープ台取付け部材３に設けた係止部４にスロープ台５の第２の被係止部７ｂを係止した状態で平面視においてテーブル２の一方の短辺とスロープ台５の傾斜に沿った一方の側縁とが略連続し、平面視長方形状のテーブル２の長辺側に対応する基台１の側面に取付けたスロープ台取付け部材３に設けた係止部４にスロープ台５の第３の被係止部７ｃを係止した状態で平面視においてテーブル２の他方の短辺とスロープ台５の傾斜に沿った他方の側縁とが略連続するように設定することが好ましい。このような構成とすることで、平面視長方形状のテーブル２の短辺側に対応する基台１の側面に取付けたスロープ台取付け部材３に設けた係止部４やテーブル２の長辺側に対応する基台１の側面に取付けたスロープ台取付け部材３に設けた係止部４に、スロープ台５に設けた第１被係止部７ａ、第２被係止部７ｂ、第３被係止部７ｃのいずれかを選択して係止することで、共通のスロープ台５を用いて配置関係が異なる３種類の配置に適応できるものである。
【００１１】
【発明の実施の形態】
以下、本発明を添付図面に示す実施形態に基づいて説明する。
【００１２】
段差解消機１５は基台１にテーブル２を上下方向に昇降自在に取付けて構成してある。添付図面に示す実施形態においては、図１乃至図４に示すように、基台１の上方に平面視で基台１よりも少し大きいテーブル２を配置してあり、図２、図４に示すように、基台１とテーブル２とはＸリンク１７により連結してある。Ｘリンク１７は一対のリンク１７ａ、１７ｂの中間部分を軸１７ｃで回動自在に軸支したもので、一方のリンク１７ａの下端部を基台１に軸１８ａにより回動自在に軸支してあり、該リンク１７ａの上端部に設けたころのような走行部１９ａをテーブル２に設けたテーブル側レール２０ａに走行自在に取付けてあり、他方のリンク１７ｂの上端部をテーブル２に軸１８ｂにより回動自在に軸支してあり、該リンク１７ｂの下端部に設けたころのような走行部１９ｂを基台１に設けた基台側レール２０ｂに走行自在に取付けてあり、後述の昇降装置２１によるテーブル２の昇降でＸリンク１７の各走行部１９ａ、１９ｂがそれぞれテーブル側レール２０ａ、基台側レール２０ｂに沿って走行しながら基台１に対してテーブル２を支持した状態でテーブル２を昇降するようにしている。
【００１３】
テーブル２を上下方向に昇降させる昇降装置２１は、図８に示すように、基台１に立設したラック２２と、テーブル２側に設けたモータ２３ａや変速機２３ｂ等からなる駆動装置２３と、駆動装置２３により回転駆動されるピニオン２４とで構成してあり、ピニオン２４がラック２２に噛み合っており、駆動装置２３を正回転してピニオン２４を正回転することでテーブル２が昇降すると共に駆動装置２３を逆回転してピニオン２４を逆回転することでテーブル２が下降するようになっている。
【００１４】
モータ２３ａや変速機２３ｂ等からなる駆動装置２３はテーブル２の上面部に取付けた取付け金具２５に取付けてあり、この取付け金具２５には更にベアリングを内装した走行ガイドローラ２６が設けてあり、この走行ガイドローラ２６はラック２２のピニオン２４と噛合している面と反対側の面に当接するように配置してあり、ピニオン２４と走行ガイドローラ２６とでラック２２を両側から挟持した状態でピニオン２４がラック２２の歯列に噛み合いながら移動すると共に走行ガイドローラ２６がラック２２に当接しながら転動するようになっている。駆動装置２３や取付け金具２５等はテーブル２の上面部に上方に向けて突出して取付けた操作ボックス２７内に配設してあり、ラック２２もテーブル２を貫通して該操作ボックス２７内に挿通してある。操作ボックス２７にはテーブル２を上昇させたり、下降させたり、あるいはその他の操作を行わせたりするための操作部２８が設けてある。駆動装置２３には電源ケーブル３３が接続してあり、この電源ケーブル３３は基台１に取付けたケーブル支持部材３４に支持してある。
【００１５】
テーブル２の下面部の外周部には蛇腹状をした外周覆い部２９の上端部が取り付けてあり、外周覆い部２９の下端部は基台１や設置面３０に取付けてあり、この外周覆い部２９はテーブル２の外周部と基台１の外周部との間の隙間を覆い隠すためのものであり、テーブル２が上昇した際には蛇腹状の外周覆い部２９が延び、テーブル２が下降した際には蛇腹状の外周覆い部２９が縮むようになっている。
【００１６】
基台１の側面部にはスロープ台取付け部材３が取付けられてスロープ台取付け部材３が基台１から外側方に突出させてある。
【００１７】
スロープ台取付け部材３は図９に示すように下横片９の一端部から固定片１０を上方に向けて突設すると共に下横片９の他端部から係止部４を有する突片１１を上方に向けて突設した略Ｕ字状をしている。係止部４は添付図面に示す実施形態においては突片１１の内側面に平面視Ｌ状をした鉤状をしている。
【００１８】
ここで、段差解消機１５はテーブル２が平面視で正方形のものの場合と、長方形のものの場合ある。
【００１９】
テーブル２が長方形のものの場合、図１、図６に示すように、両辺のうち一方の長辺側に沿って操作ボックス２７が取付けてあり、平面視長方形状のテーブル２の両短辺に対応する基台１の両側面にそれぞれ一定長さＡを介して一対の固定部３２が設けてある。一対の固定部３２の位置はそれぞれ平面視長方形状のテーブル２の短辺の中間位置からそれぞれＡ／２離れた位置に位置している。また、平面視長方形状のテーブル２の両長辺のうち操作ボックス２７を取付けていない方の長辺に対応する基台１の側面に一定長さＡを介して一対の固定部３２が設けてある。この一対の固定部３２の位置は平面視長方形状のテーブル２の長辺の中間位置からそれぞれＡ／２離れた位置に位置している。
【００２０】
そして、平面視長方形状のテーブル２の両短辺に対応する基台１の両側面のうちのいずれか一方の一対の固定部３２、又は平面視長方形状のテーブル２の長辺に対応する基台１の側面の一対の固定部３２に一対のスロープ台取付け部材３の固定片１０を固着具１２により固着することで、平面視長方形状のテーブル２の両短辺に対応する基台１の両側面のうちのいずれか一方、又は平面視長方形状のテーブル２の長辺に対応する基台１の側面から外側方に向けてスロープ台取付け部材３を突出させる。
【００２１】
スロープ台５は図１０に示すように、上面部が一端側から他端側にかけて次第に高くなるような傾斜面６となっており、例えば金属板を略レ字状に曲成することで構成してあり、このスロープ台５には脚部５ａが設けてある。スロープ台５の上端側の垂直となった側端面部８（つまり垂直片）に被係止部７を設けてある。被係止部７は添付図面に示す実施形態においては側端面部８に下方から上方に向けて略逆Ｕ状をした切り欠き部を形成して該切り欠き部を被係止部７としてある。被係止部７は添付図面に示す実施形態においては２個で一対となった３対の被係止部７が設けてあり（つまり、２個で一対となった第１の被係止部７ａ、２個で一対となった第２の被係止部７ｂ、２個で一対となった第３の被係止部７ｃ）、上記２個一対の被係止部７間の長さ（つまり一対の第１の被係止部７ａ間の長さ、第２の被係止部７ｂ間の長さ、第３の被係止部７ｃ間の長さ）が前記固定部３２間の長さＡと同じ長さＡとなっている。スロープ台５の上端側の辺は平面視長方形状のテーブル２の短辺と同じ長さとなっており、一対の第１の被係止部７ａはスロープ台５の上端側の辺の中間位置からそれぞれＡ／２離れた位置に位置している。また、スロープ台５の上端側の辺の一端から該一端に近い方の第２の被係止部７ｂまでの長さＢは、平面視長方形状をしたテーブル２の長辺の一端から該一端に近い方の固定部３２に取付けられるスロープ台取付け部材３の係止部４までの距離Ｂと等しくなっている。また、スロープ台５の上端側の辺の他端から該他端に近い方の第２の被係止部７ｂまでの長さＣは、平面視長方形状をしたテーブル２の長辺の他端から該他端に近い方の固定部３２に取付けられるスロープ台取付け部材３の係止部４までの距離Ｃと等しくなっている。そして、Ｂ＝Ｃとなっている。
【００２２】
しかして、図１に示すように、平面視長方形状のテーブル２の両短辺に対応する基台１の両側面のうちのいずれか一方の一対の固定部３２にスロープ台取付け部材３の固定片１０を固着具１２により固着した場合は、一対のスロープ台取付け部材３の係止部４に、スロープ台５の一対の第１の被係止部７ａを上方から嵌め込み係止して位置決め連結し、テーブル２の下降状態でテーブル２の端部の外側位置にスロープ台５の上端側の側端部を位置させると共にテーブル２の上面とスロープ台５の上端とを略同じ高さとなるようにする。この場合、図１に示すように取付けたスロープ台取付け部材３に設けた係止部４にスロープ台５の第１の被係止部７ａを係止した状態で平面視においてテーブル２の長辺とスロープ台５の傾斜に沿った両側縁とが略連続するようにスロープ台取付け部材３を介して連結するものである。そして、この場合には図１の矢印イ方向にスロープ台５を利用して設置面３０から下降したテーブル２に乗ったり、あるいはテーブル２から設置面３０に移動したりするものである。
【００２３】
また、平面視長方形状のテーブル２の長辺に対応する基台１の側面の一対の固定部３２に一対のスロープ台取付け部材３の固定片１０を固着具１２により固着した場合は、現場の状況により、一対のスロープ台取付け部材３の係止部４に、スロープ台５の一対の第２の被係止部７ｂを上方から嵌め込み係止するか、あるいは一対の第３の被係止部７ｃを上方から嵌め込み係止するかを選択する。ここで、一対の係止部４に一対の第２の被係止部７ｂを係止した場合には、図１１に示すように平面視においてテーブル２の一方の短辺とスロープ台５の傾斜に沿った一方の側縁とが略連続するようにスロープ台取付け部材３を介してスロープ台５が基台１に連結される。また、一対の係止部４に一対の第３の被係止部７ｃを係止した場合には、図１２に示すように平面視においてテーブル２の他方の短辺とスロープ台５の傾斜に沿った他方の側縁とが略連続するようにスロープ台取付け部材３を介してスロープ台５が基台１に連結される。
【００２４】
このように、第１の被係止部７ａ、第２の被係止部７ｂ、第３の被係止部７ｃを選択することで、テーブル２とスロープ台５との３通りの位置関係での連結が共通のスロープ台５を用いてできることになる。
【００２５】
いずれの連結の場合にも、テーブル２が下降した場合、一例として図３に示すようにテーブル２の下降状態で突片１１と固定片１０との間に形成される上方開口の凹部１３にテーブル２の外周端部の下向き突出部１４及び縮んだ蛇腹状の外周覆い部２９が略Ｕ字状をしたスロープ台取付け部材３の突片１１と固定片１０との間に形成される上方開口の凹部１３にはまり込んで収まるものである。このようにスロープ台取付け部材３を略Ｕ字状に形成することで、基台１に対してスロープ台５をスロープ台取付け部材３を介して一定の位置関係に連結するようにしたにもかかわらず、スロープ台取付け部材３に邪魔されることなくテーブル２の外周端部の下向き突出部１４が下降できると共に外周覆い部２９縮めて凹部１３内に配置することができるものである。
【００２６】
しかして、上記のような構成の段差解消機１５は図２、図３に示すように設置面３０と、設置面３０よりはレベルの高い上段面３１との段差を解消させるために使用されるものであり、設置面３０の上段面３１側の端部に上記段差解消機１５を設置するものである。
【００２７】
例えば、図１の実施形態のものを例として説明すると、設置面３０から上段面３１に人が車椅子に乗って移動する場合、テーブル２を下降させて図３の状態にし、この状態で設置面３０からスロープ台５を経てテーブル２上に車椅子で乗り込み、テーブル２に乗って操作部２８を操作することでテーブル２を図２のようにテーブル２をほぼ上段面３１と同じレベルとなるまで上昇させ、その後、テーブル２から上段面３１に車椅子で移動するものである。一方、上段面３１から設置面３０に車椅子に乗って移動する場合にはテーブル２を上昇させて図３の状態にし、この状態で上段面３１からテーブル２上に車椅子で乗り込み、テーブル２に乗って操作部２８を操作することでテーブル２を図２のようにテーブル２を下降させ、その後、テーブル２からスロープ台５を経て設置面３０に車椅子で移動するものである。
【００２８】
ここで、図１１、図１２の場合、矢印ロのように車椅子などを移動することができて長方形状のテーブル２を有効に利用して車椅子等を大回りして方向転換ができるものであり、また、図１１、図１２においては上段面３１と反対側にスロープ台５を片寄らせて配設することで、上段面３１側に邪魔されずにスロープ台５を利用して車椅子などで図１１、図１２の矢印ロのように移動できるものである。
【００２９】
上記実施形態においては、被係止部７として第１被係止部７ａと第２被係止部７ｂと第３被係止部７ｃとを設けた例を示したが、もちろん、本発明においては被係止部７として第１の被係止部７ａのみを設けたものであってもよいものである。
【００３０】
また、上記実施形態においてはテーブル２が平面視で長方形状の例で説明したが、テーブル２が図１３、図１４のように正方形状をしたものであってもよく、この場合はテーブル２の操作ボックス２７を取付けていない辺に対応する基台１の側面に一定長さＡを介して一対の固定部３２が設けてあり、この一対の固定部３２にスロープ台取付け部材３を前述と同様にして取付け、この一対の固定部３２に前述と同様にしてスロープ台５に設けた一対の被係止部７を係止するものであり、この場合、図１３に示すように、テーブル２の一対の辺とスロープ台５の傾斜に沿った両側縁とが略連続するものである。そして、このテーブル２を正方形のものにおいても上記テーブル２が長方形のものにおいて使用したスロープ台５を兼用して用いることも可能である。
【００３１】
【発明の効果】
上記のように本発明の請求項１記載の発明にあっては、基台にスロープ台取付け部材を取付けてスロープ台取付け部材を基台から外側方に突出させ、スロープ台取付け部材の突出先端部に係止部を設け、スロープ台の上面部を一端側から他端側にかけて次第に高くなるような傾斜面とし、スロープ台の上端側の側端面部に被係止部を設け、スロープ台の被係止部をスロープ台取付け部材の係止部に着脱自在に係止し、テーブルの下降状態でテーブルの端部の外側位置にスロープ台の上端側の側端部を位置させると共にテーブルの上面とスロープ台の上端とを略同じ高さとしてあるので、係止部に対して被係止部を係止するという作業で簡単に基台に対してスロープ台を両者が所定の位置関係となるように連結することができ、この結果、従来のようにアンカーボルトを打ち込むというような面倒な作業を必要とせず据え置きという作業でよくて設置作業が簡便化でき、しかも基台に対してスロープ台が移動して位置ずれすることがなくてテーブルが下降した際に基台をかみ込むおそれがないものであり、簡単な構成で段差解消機やスロープ台が破損しないようにできると共にテーブルに人が乗っている場合でも転落の危険が無くなるものであり、しかも、下横片の一端部から固定片を上方に向けて突設すると共に下横片の他端部から係止部を有する突片を上方に向けて突設して略Ｕ字状をしたスロープ台取付け部材を構成し、スロープ台取付け部材の固定片を基台の側面に固着具により固着し、係止部にスロープ台の被係止部を着脱自在に係止し、テーブルの下降状態で突片と固定片との間に形成される上方開口の凹部にテーブルの外周端部の下向き突出部がはまり込むように構成してあるので、基台に対してスロープ台をスロープ台取付け部材を介して一定の位置関係に連結するようにしたにもかかわらず、スロープ台取付け部材を略Ｕ字状に形成するという簡単な構成により、スロープ台取付け部材に邪魔されることなくテーブルの外周端部の下向き突出部が下降できるものである。
【００３３】
また、請求項２記載の発明にあっては、上記請求項１記載の発明の効果に加えて、基台とテーブルとの間の隙間を覆い隠すための蛇腹状の伸縮自在な外周覆い部の上端部をテーブルの外周部に取付けると共に下端部を基台又は基台を設置する設置面に取付け、テーブルの下降状態で突片と固定片との間に形成される上方開口の凹部に縮んだ状態の外周覆い部が位置するので、基台に対してスロープ台をスロープ台取付け部材を介して一定の位置関係に連結するようにしたにもかかわらず、スロープ台取付け部材を略Ｕ字状に形成するという簡単な構成により、テーブル下降時にスロープ台取付け部材に邪魔されることなく外周覆い部を縮めて凹部内に配置できるものである。
【００３４】
また、請求項３記載の発明にあっては、上記請求項１又は請求項２記載の発明の効果に加えて、スロープ台の上端側の側端面部に第１被係止部と第２被係止部と第３被係止部とを設け、平面視長方形状のテーブルの短辺側に対応する基台の側面に取付けたスロープ台取付け部材に設けた係止部にスロープ台の第１の被係止部を係止した状態で平面視においてテーブルの長辺とスロープ台の傾斜に沿った両側縁とが略連続し、平面視長方形状のテーブルの長辺側に対応する基台の側面に取付けたスロープ台取付け部材に設けた係止部にスロープ台の第２の被係止部を係止した状態で平面視においてテーブルの一方の短辺とスロープ台の傾斜に沿った一方の側縁とが略連続し、平面視長方形状のテーブルの長辺側に対応する基台の側面に取付けたスロープ台取付け部材に設けた係止部にスロープ台の第３の被係止部を係止した状態で平面視においてテーブルの他方の短辺とスロープ台の傾斜に沿った他方の側縁とが略連続するように設定してあるので、平面視長方形状のテーブルの短辺側に対応する基台の側面に取付けたスロープ台取付け部材に設けた係止部やテーブルの長辺側に対応する基台の側面に取付けたスロープ台取付け部材に設けた係止部に、スロープ台に設けた第１被係止部、第２被係止部、第３被係止部のいずれかを選択して係止することで、共通のスロープ台を用いて配置関係が異なる３種類の配置に適応でき、多種類のスロープ台を用意する必要がなく、部材点数が削減できるものである。
【図面の簡単な説明】
【図１】本発明の段差解消機の平面図である。
【図２】同上のテーブルの上昇状態を示す正面断面図である。
【図３】同上の下降状態を示す正面断面図である。
【図４】同上のテーブルの上昇状態を示す側面断面図である。
【図５】同上のスロープ台の取付けを示す拡大断面図である。
【図６】同上のスロープ台を取付ける前の状態の平面図である。
【図７】同上のスロープ台を取付ける前の状態の正面断面図である。
【図８】同上の駆動装置を示し、（ａ）は正面図であり、（ｂ）は側面図である。
【図９】同上に用いるスロープ台取付け部材を示し、（ａ）は平面図であり、（ｂ）は正面図であり、（ｃ）は側面図である。
【図１０】同上のスロープ台を示し、（ａ）は背面図であり、（ｂ）は平面図であり、（ｃ）は側面図である。
【図１１】同上のスロープ台の他の位置関係での取付け例を示す平面図である。
【図１２】同上のスロープ台の更に他の位置関係での取付け例を示す平面図である。
【図１３】同上のテーブルが平面視正方形状をしている場合の平面図である。
【図１４】同上のスロープ台を取付ける前の状態の平面図である。
【符号の説明】
１  基台
２  テーブル
３  スロープ台取付け部材
４  係止部
５  スロープ台
６  傾斜面
７  被係止部
８  側端面部
９  下横片
１０  固定片
１１  突片
１２  固着具
１３  凹部
１４  下向き突出部
【図１】
0003694248.tif 000002
【図２】
0003694248.tif 000003
【図３】
0003694248.tif 000004
【図４】
0003694248.tif 000005
【図５】
0003694248.tif 000006
【図６】
0003694248.tif 000007
【図７】
0003694248.tif 000008
【図８】
0003694248.tif 000009
【図９】
0003694248.tif 000010
【図１０】
0003694248.tif 000011
【図１１】
0003694248.tif 000012
【図１２】
0003694248.tif 000013
【図１３】
0003694248.tif 000014
【図１４】
0003694248.tif 000015